(57)【要約】【課題】防犯モードで発する光の色を種々に変えることにより、一層の威嚇効果を発することができる防犯機能付き照明器具を提供する。【解決手段】主光源１５として赤・緑・青の３個の色光源１５Ｒ，１５Ｇ，１５Ｂを設けたので、任意の色の光を発することができる。このため、防犯モードでない場合には、従来より用いられている電球色や白色とすることにより、照明器具１０として違和感なく使用することができ、防犯モード時には、検知された不審者を威嚇できるような色を点滅等させることにより、威嚇効果を増すことができる。【選択図】図１
2010033810.tif 000002
【特許請求の範囲】
【請求項１】
所定の検知エリアに浸入した人を検知する人感センサを有し、該人感センサが所定時間以上人を検知したら光源を点滅等して威嚇する防犯モードおよび威嚇しない非防犯モードが選択可能な防犯機能付き照明器具であって、
前記光源が赤・緑・青の３個の色光源を有し、前記防犯モードおよび前記非防犯モードに応じて前記色光源を点灯させて前記光源の色を調整することを特徴とする防犯機能付き照明器具。
【発明の詳細な説明】
【技術分野】
【０００１】
本発明は、防犯機能付き照明器具に関するものである。
【背景技術】
【０００２】
従来より、光の点灯や点滅で威嚇する防犯機能付き照明器具が知られている（例えば特許文献１参照）。
【０００３】
図４に示すように、特許文献１に記載の照明装置１００では、人を検知する人センサ部１０１と、周囲の照度を検知する明るさセンサ部１０２と、さまざまな計時を行うタイマ部１０３と、器具全体１０１〜１０３の制御を行う点灯制御手段１０４とを有している。また、光を出力する照明負荷部１０５を有する警報出力手段１０６を備えている。
【０００４】
従って、人が照明装置１００に近づいてきて人センサ部１０１が人を検知すると、人検知信号を発生して警報出力手段１０６に入力する。警報出力手段１０６では、照明負荷部１０５を点灯し、徐々に明るさを増す。また、このとき、光の色を、例えば白から赤に変えることもできる。これにより、不審者に対する威嚇効果を向上させている。
【特許文献１】特開２００５−２７５８６２号公報（第１図）
【発明の開示】
【発明が解決しようとする課題】
【０００５】
ところで、防犯モード以外の場合には主光源を点灯させ、防犯モードにおいては主光源を点灯させるとともに主光源の色を変えるために色の付いた副光源を設けると、主光源の色および副光源の色しか発することができず、変化に乏しく、威嚇効果の向上を図ることが困難であるという問題がある。
【０００６】
本発明は、従来の問題を解決するためになされたもので、防犯モードで発する光の色を種々に変えることにより、一層の威嚇効果を発することができる防犯機能付き照明器具を提供することを目的とする。
【課題を解決するための手段】
【０００７】
本発明の防犯機能付き照明器具は、所定の検知エリアに浸入した人を検知する人感センサを有し、該人感センサが所定時間以上人を検知したら光源を点滅等して威嚇する防犯モードおよび威嚇しない非防犯モードが選択可能な防犯機能付き照明器具であって、前記光源が赤・緑・青の３個の色光源を有し、前記防犯モードおよび前記非防犯モードに応じて前記色光源を点灯させて前記光源の色を調整する構成を有している。
【０００８】
この構成により、主光源として赤・緑・青の３個の色光源を設けたので、任意の色の光を発することができる。このため、防犯モードでない場合には、従来より用いられている電球色や白色とすることにより、照明器具として違和感なく使用することができ、防犯モード時には、検知された不審者を威嚇できるような色を点滅等させることにより、威嚇効果を増すことができる。
【発明の効果】
【０００９】
本発明は、主光源として赤・緑・青の３個の色光源を設けたので、任意の色の光を発することができる。このため、防犯モードでない場合には、従来より用いられている電球色や白色とすることにより、照明器具として違和感なく使用することができ、防犯モード時には、検知された不審者を威嚇できるような色を点滅等させることにより、威嚇効果を増すことができるという効果を有する防犯機能付き照明器具を提供することができるものである。
【発明を実施するための最良の形態】
【００１０】
以下、本発明の実施の形態の防犯機能付き照明器具について、図面を用いて説明する。
図１は本発明の実施形態にかかる防犯機能付き照明器具の斜視図、図２は防犯モードでない場合の動作を示す説明図、図３は防犯モードの動作を示す説明図である。
【００１１】
図１に示すように、本発明にかかる防犯機能付き照明器具１０は、例えば、玄関の壁１１等に取り付けられて使用される。照明器具１０は、例えば有底円筒形状をした器具本体１２の外側に、人を検知する人感センサ１３や、周囲の明るさを検知する明るさセンサ１４が設けられている。また、器具本体１２の内部には、主光源１５を構成する赤色ＬＥＤ１５Ｒ、緑色ＬＥＤ１５Ｇ、青色ＬＥＤ１５Ｂの３個の色光源が交換可能に取り付けられており、照明器具１０全体を制御する制御部１７が設けられている。
【００１２】
なお、防犯モードのオン・オフをリモコン（図示省略）で行う場合には、リモコン受信部１８が設けられる。また、器具本体１２の前面には、カバー１９が着脱可能に設けられている。
【００１３】
従って、制御部１７の制御によって、３個の色光源である赤色ＬＥＤ１５Ｒ、緑色ＬＥＤ１５Ｇ、青色ＬＥＤ１５Ｂの出力（明るさ）を調整することにより、照明器具１０として発する照明の色を任意の色に設定することができる。また、各ＬＥＤ１５Ｒ，１５Ｇ，１５Ｂを点滅させることにより、主光源１５を点滅させることができる。あるいは、いずれかのＬＥＤ１５Ｒ，１５Ｇ，１５Ｂを点灯させ、いずれかのＬＥＤ１５Ｒ，１５Ｇ，１５Ｂを点滅させることもできる。
【００１４】
次に、各モードにおける動作を説明する。
【００１５】
（通常モード）
防犯モードではない通常モードにおいては、図２（Ａ）に示すように、照明器具１０の明るさセンサ１４が、周囲は所定の明るさよりも明るい（すなわち、昼である）ことを検知している間は、主光源１５である各ＬＥＤ１５Ｒ，１５Ｇ，１５Ｂは消灯している。そして、図２（Ｂ）に示すように、明るさセンサ１４が、周囲が所定の明るさよりも暗くなったことを検知したら、制御部１７は各ＬＥＤ１５Ｒ，１５Ｇ，１５Ｂを所定の明るさで点灯させて、主光源１５を点灯させる。このとき、主光源１５の色を、電球色または白色とすることにより、照明として違和感が生じない。消灯時間を設定している場合には、図２（Ｃ）に示すように、所定時間経過後に各ＬＥＤ１５Ｒ，１５Ｇ，１５Ｂを消灯することにより、主光源１５を消灯する。
【００１６】
図２（Ｄ）に示すように、主光源１５が消灯しているときに、人感センサ１３が人Ｍを検知すると、制御部１７は各ＬＥＤ１５Ｒ，１５Ｇ，１５Ｂを所定の明るさで点灯させて電球色等で主光源１５を点灯させ、図２（Ｅ）に示すように、人Ｍがいなくなると、各ＬＥＤ１５Ｒ，１５Ｇ，１５Ｂを消灯して主光源１５を消灯する。消灯時間を設定していないばあいでも、図２（Ｆ）に示すように、明るさセンサ１４が所定の明るさよりも明るくて朝になったと検知したら、主光源１５を消灯する。
【００１７】
（防犯モード）
防犯モードに設定される前の状態は、前述した通常モードと同じ状態である。すなわち、図３（Ａ）に示すように、明るさセンサ１４が、周囲が明るい昼間であると検知した場合には、主光源１５を消灯する。そして、図３（Ｂ）に示すように、明るさセンサが、所定の明るさよりも暗くなったことを検知した場合には、主光源１５を電球色等で点灯する。
【００１８】
一方、例えば、リモコン（図示省略）によって防犯モードに設定した場合には、図３（Ｃ）に示すように、設定時刻になると主光源１５が消灯する。そして、図３（Ｄ）に示すように、人感センサ１３が人Ｍを検知したら、制御部１７は、各ＬＥＤ１５Ｒ，１５Ｇ，１５Ｂを電球色等で点灯させて、人感センサ１３が一定時間以上人Ｍを検知すると、制御部１７は、各ＬＥＤ１５Ｒ，１５Ｇ，１５Ｂを所定の割合で点灯させることにより、任意の色の光で点滅させて、人Ｍを威嚇する。
【００１９】
そして、人Ｍがいなくなると、図３（Ｅ）に示すように、主光源１５を消灯する。その後、再び人感センサ１３が人を検知すると、前述した図３（Ｄ）を繰り返す。そして、明るさセンサ１４が所定の明るさよりも明るくなった（すなわち、朝）と検知すると、図３（Ｆ）に示すように、それ以後主光源１５は消灯する。
【００２０】
以上、説明した本発明にかかる防犯機能付き照明器具１０によれば、主光源１５として赤色ＬＥＤ１５Ｒ，緑色ＬＥＤ１５Ｇ，青色ＬＥＤ１５Ｂの３個の色光源を設けたので、任意の色の光を発することができる。このため、防犯モードでない場合には、従来より用いられている電球色や白色とすることにより、照明器具１０として違和感なく使用することができ、防犯モード時には、検知された不審者Ｍを威嚇できるような色を点滅等させることにより、威嚇効果を一層大きくすることができる。
【００２１】
なお、本発明の防犯機能付き照明器具は、前述した実施形態に限定されるものでなく、適宜な変形，改良等が可能である。
例えば、前述した実施形態においては、防犯モードを、周囲が所定の明るさよりも暗くなって、設定された時間通常の点灯をした後に動作する場合について説明したが、防犯モードを、周囲が所定の明るさよりも明るい昼にも、動作するように設定しても良い。この場合には、赤色ＬＥＤ１５Ｒ，緑色ＬＥＤ１５Ｇ，青色ＬＥＤ１５Ｂの組み合わせにより、昼間でも点滅等が明確にわかる色の光を発するようにして、威嚇効果を高めるようにする。
【図面の簡単な説明】
【００２２】
【図１】本発明の実施形態にかかる防犯機能付き照明器具の斜視図
【図２】防犯モードでない場合を示す説明図
【図３】防犯モードを示す説明図
【図４】従来の防犯システムの斜視図
【符号の説明】
【００２３】
１０  防犯機能付き照明器具
１３  人感センサ
１５  主光源（光源）
１５Ｒ  赤色ＬＥＤ（色光源）
１５Ｇ  緑色ＬＥＤ（色光源）
１５Ｂ  青色ＬＥＤ（色光源）
Ｍ  人
【図１】
2010033810.tif 000003
【図２】
2010033810.tif 000004
【図３】
2010033810.tif 000005
【図４】
2010033810.tif 000006